(57)【要約】　　　（修正有）【課題】他の電話装置へ無線子機が移動している場合でも、所属電話装置で生じた個別着信に対して移動先で応答できるようにする。【解決手段】所属電話装置１Ａの移動管理手段では、自装置に所属する通信不能な無線子機に対する個別着信が発生した場合、接続回線を介して他の電話装置へ当該無線子機の所在を問い合わせ、着信転送制御手段では、所在確認された移動先電話装置１Ｃへその個別着信を転送する。また、移動先電話装置１Ｃの移動管理手段では、他の電話装置に所属する無線子機の所在を接続回線５を介して所属電話装置１Ａへ通知し、所属電話装置１Ａの着信転送制御手段では、自装置に所属する通信不能な無線子機に対する個別着信が発生した場合、先の所在通知に基づきその個別着信を移動先電話装置１Ｃへ着信転送する。【選択図】　　　　図１
2004088490.tif 000002
【特許請求の範囲】
【請求項１】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムであって、
前記電話装置間を接続する接続回線をさらに備え、
前記電話装置のうち、前記無線子機のいずれかが所属する所属電話装置は、
自装置に所属する通信不能な無線子機に対する個別着信が発生した場合、前記接続回線を介して他の電話装置へ当該無線子機の所在を問い合わせて確認する移動管理手段と、この移動管理手段により確認された当該無線子機の所在に基づき、その無線子機が制御を受けている電話装置へ前記個別着信を転送する着信転送制御手段とを有することを特徴とする電話システム。
【請求項２】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムであって、
前記電話装置間を接続する接続回線をさらに備え、
前記各電話装置のうち、前記無線子機が移動した先で無線回線を介して制御を受ける移動先電話装置は、
他の電話装置に所属する前記無線子機が自装置の制御下となった場合に、前記接続回線を介して当該無線子機が所属する所属電話装置へ当該無線子機の所在通知を行う移動管理手段を有し、
前記各電話装置のうち、前記各無線子機のいずれかが所属する所属電話装置は、
前記移動先電話装置からの所在通知に応じて、元々自装置に所属する無線子機が制御を受けている電話装置を無線子機管理情報に登録するとともに、自装置に所属する通信不能な無線子機に対する個別着信が発生した場合、前記無線子機管理情報に基づき当該無線子機が所在する移動先電話装置を取得する移動管理手段と、
この移動管理手段により前記個別着信に応じて取得された当該無線子機の移動先電話装置へ前記個別着信を転送する着信転送制御手段とを有することを特徴とする電話システム。
【請求項３】
通信回線を介して通信網と接続される主装置と、この主装置に無線回線を介して制御される１つ以上の無線子機とからなるボタン電話装置を複数備え、前記無線子機は、前記ボタン電話装置のいずれか１つに予め所属するとともに、移動に応じて前記各ボタン電話装置のいずれか１つから無線回線を介して制御を受け、前記各ボタン電話装置は当該ボタン電話装置の制御下にある無線子機に対して各種通信サービスを提供する電話システムで用いられるボタン電話装置であって、
自装置に所属する通信不能な無線子機に対する個別着信が発生した場合、前記ボタン電話装置間を接続する接続回線を介して他のボタン電話装置へ当該無線子機の所在を問い合わせて確認する移動管理手段と、
この移動管理手段により確認された当該無線子機の所在に基づき、その無線子機が制御を受けているボタン電話装置へ前記個別着信を転送する着信転送制御手段とを備えることを特徴とするボタン電話装置。
【請求項４】
通信回線を介して通信網と接続される主装置と、この主装置に無線回線を介して制御される１つ以上の無線子機とからなるボタン電話装置を複数備え、前記無線子機は、前記ボタン電話装置のいずれか１つに予め所属するとともに、移動に応じて前記各ボタン電話装置のいずれか１つから無線回線を介して制御を受け、前記各ボタン電話装置は当該ボタン電話装置の制御下にある無線子機に対して各種通信サービスを提供する電話システムで用いられるボタン電話装置であって、
自装置の制御下にある他のボタン電話装置に所属する前記無線子機について、前記ボタン電話装置間を接続する接続回線を介して当該無線子機が所属する所属ボタン電話装置に対して、当該無線子機への個別着信が前記所属電話装置で発生した場合の着信転送先が自装置である旨の所在通知を行う移動管理手段を備えることを特徴とするボタン電話装置。
【請求項５】
請求項４に記載のボタン電話装置において、
前記移動管理手段は、前記無線子機が当該ボタン電話装置の制御下となった時点で、前記所在通知を行うことを特徴とするボタン電話装置。
【請求項６】
請求項４に記載のボタン電話装置において、
前記移動管理手段は、前記無線子機からの要求に応じて、前記所在通知を行うことを特徴とするボタン電話装置。
【請求項７】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムで用いられる電話装置のコンピュータで、
自装置に所属する通信不能な無線子機に対する個別着信が発生した場合、前記電話装置間を接続する接続回線を介して他の電話装置へ当該無線子機の所在を問い合わせて確認するステップと、
その確認された当該無線子機の所在に基づき、その無線子機が制御を受けている電話装置へ前記個別着信を転送するステップとを実行させるためのプログラム。
【請求項８】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムで用いられる電話装置のコンピュータで、
自装置の制御下にある他の電話装置に所属する前記無線子機について、前記電話装置間を接続する接続回線を介して当該無線子機が所属する所属電話装置に対して、当該無線子機への個別着信が前記所属電話装置で発生した場合の着信転送先が自装置である旨の所在通知を行うステップを実行させるためのプログラム。
【発明の詳細な説明】
【０００１】
【発明の属する技術分野】
本発明は、電話システム、ボタン電話装置およびプログラムに関し、特に複数の電話装置で共通の無線子機に対して通信サービスを提供する電話システム、ボタン電話装置およびプログラムに関するものである。
【０００２】
【従来の技術】
従来、電話システムとして、無線回線を介して電話装置（ボタン電話装置）に子機として収容している無線子機（無線電話機）を、移動先の他の電話装置でも利用可能とするため、各電話装置との無線通信に必要な認証用のＩＤを無線子機で使い分けることにより、複数の移動先で通信サービスを受けられるようにしたものが提案されている（例えば、特開平８−１９５９７９号公報など参照）。
このシステムで用いられる電話装置では、電話制御装置（主装置）に無線親機を接続することにより、この無線親機から無線回線を介して無線子機を制御するものとなっている。このような接続方式では、無線子機の接続可否を判断するため、認証に用いる固有のＩＤを予め無線親機および無線子機の双方にそれぞれ設定し、そのＩＤを用いて接続可否を判断している。したがって、移動先のＩＤを無線子機に予め登録しておき、これらを使い分けることにより、移動先として複数の無線親機で共通して無線子機と接続できることになる。
【０００３】
無線子機には、その無線子機に個別の着呼、例えば当該無線子機のみを着信先とする、個別着信、電子メール受信あるいはボイスメール受信などの個別サービスが発生する。このような着呼は、通常、当該無線子機が所属する電話装置で発生し、当該無線子機へのみ通知される。
したがって、無線子機が他の移動先、例えば他の電話装置の制御下にある間に、その無線子機への個別サービスが必要となった場合、元の所属電話装置でこれら個別サービスの内容を履歴として蓄積しておき、当該無線子機が所属電話装置へ復帰した際に、蓄積しておいた個別サービスの内容をその無線子機へ通知するものとなっている。
【０００４】
【発明が解決しようとする課題】
しかしながら、このような従来の電話システムでは、複数の電話装置で共通して無線子機が使用できるものの、当該無線子機が移動先の電話装置の制御下にある場合には、その無線子機利用者が元の所属電話装置で発生した個別着信に応答できないという問題点があった。
本発明はこのような課題を解決するためのものであり、無線子機が移動して他の電話装置の制御下にある場合でも、所属電話装置で生じた個別着信に対して移動先で応答することができる電話システム、ボタン電話装置およびプログラムを提供することを目的としている。
【０００５】
【課題を解決するための手段】
このような目的を達成するために、本発明にかかる電話システムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムであって、電話装置間を接続する接続回線をさらに備えるものである。
そして、電話装置のうち、無線子機のいずれかが所属する所属電話装置は、自装置に所属する通信不能な無線子機に対する個別着信が発生した場合、接続回線を介して他の電話装置へ当該無線子機の所在を問い合わせて確認する移動管理手段と、この移動管理手段により確認された当該無線子機の所在に基づき、その無線子機が制御を受けている電話装置へ個別着信を転送する着信転送制御手段とを有するものである。
【０００６】
また、本発明にかかる他の電話システムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムであって、電話装置間を接続する接続回線をさらに備えるものである。
そして、各電話装置のうち、無線子機が移動した先で無線回線を介して制御を受ける移動先電話装置は、他の電話装置に所属する無線子機が自装置の制御下となった場合に、接続回線を介して当該無線子機が所属する所属電話装置へ当該無線子機の所在通知を行う移動管理手段を有し、各電話装置のうち、各無線子機のいずれかが所属する所属電話装置は、移動先電話装置からの所在通知に応じて、元々自装置に所属する無線子機が制御を受けている電話装置を無線子機管理情報に登録するとともに、自装置に所属する通信不能な無線子機に対する個別着信が発生した場合、無線子機管理情報に基づき当該無線子機が所在する移動先電話装置を取得する移動管理手段と、この移動管理手段により個別着信に応じて取得された当該無線子機の移動先電話装置へ個別着信を転送する着信転送制御手段とを有するものである。
【０００７】
また、本発明にかかる電話装置は、通信回線を介して通信網と接続される主装置と、この主装置に無線回線を介して制御される１つ以上の無線子機とからなるボタン電話装置を複数備え、無線子機は、ボタン電話装置のいずれか１つに予め所属するとともに、移動に応じて各ボタン電話装置のいずれか１つから無線回線を介して制御を受け、各ボタン電話装置は当該ボタン電話装置の制御下にある無線子機に対して各種通信サービスを提供する電話システムで用いられるボタン電話装置であって、自装置に所属する通信不能な無線子機に対する個別着信が発生した場合、ボタン電話装置間を接続する接続回線を介して他のボタン電話装置へ当該無線子機の所在を問い合わせて確認する移動管理手段と、この移動管理手段により確認された当該無線子機の所在に基づき、その無線子機が制御を受けているボタン電話装置へ個別着信を転送する着信転送制御手段とを備えるものである。
【０００８】
また、本発明にかかる他の電話装置は、通信回線を介して通信網と接続される主装置と、この主装置に無線回線を介して制御される１つ以上の無線子機とからなるボタン電話装置を複数備え、無線子機は、ボタン電話装置のいずれか１つに予め所属するとともに、移動に応じて各ボタン電話装置のいずれか１つから無線回線を介して制御を受け、各ボタン電話装置は当該ボタン電話装置の制御下にある無線子機に対して各種通信サービスを提供する電話システムで用いられるボタン電話装置であって、自装置の制御下にある他のボタン電話装置に所属する無線子機について、ボタン電話装置間を接続する接続回線を介して当該無線子機が所属する所属ボタン電話装置に対して、当該無線子機への個別着信が所属電話装置で発生した場合の着信転送先が自装置である旨の所在通知を行う移動管理手段を備えるものである。
【０００９】
移動先電話装置から所属電話装置に対して所在通知を行うタイミングについては、移動管理手段で、無線子機が当該ボタン電話装置の制御下となった時点で、所在通知を行うようにしてもよく、あるいは、無線子機からの要求に応じて、所在通知を行うようにしてもよい。
【００１０】
また、本発明にかかるプログラムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムで用いられる電話装置のコンピュータで、自装置に所属する通信不能な無線子機に対する個別着信が発生した場合、電話装置間を接続する接続回線を介して他の電話装置へ当該無線子機の所在を問い合わせて確認するステップと、その確認された当該無線子機の所在に基づき、その無線子機が制御を受けている電話装置へ個別着信を転送するステップとを実行させるためのものである。
【００１１】
また、本発明にかかる他のプログラムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムで用いられる電話装置のコンピュータで、自装置の制御下にある他の電話装置に所属する無線子機について、電話装置間を接続する接続回線を介して当該無線子機が所属する所属電話装置に対して、当該無線子機への個別着信が所属電話装置で発生した場合の着信転送先が自装置である旨の所在通知を行うステップを実行させるためのものである。
【００１２】
【発明の実施の形態】
次に、本発明の実施の形態について図面を参照して説明する。
図１は本発明の第１の実施の形態にかかる電話システムの構成を示すブロック図である。
この電話システムは、複数の電話装置１（１Ａ，１Ｂ，１Ｃ，…，１Ｎ）と、これら電話装置１を相互に接続する接続回線５とから構成されている。
各電話装置１（１Ａ，１Ｂ，１Ｃ，…，１Ｎ）は、それぞれボタン電話装置からなり、主装置（電話制御装置）１０、無線親機２０および無線子機３０から構成されている。各電話装置１Ａ，１Ｂ，１Ｃ，…，１Ｎは、接続回線５を介して相互に接続され、必要に応じて各種情報をやり取りする。
接続回線５は、各電話装置１間でのデータ通信を実現する回線であり、例えばインターネットなどのパケット通信回線のほか、専用回線、電話回線あるいはＩＳＤＮ回線などが用いられる。
【００１３】
主装置１０は、通信回線４を介して通信網４０と接続され、この通信網４０を介して相手先（図示せず）との間で通信を行うことにより、音声通話、電子メール、ボイスメールなどの通信サービスを、無線子機３０の利用者へ提供する装置である。また、主装置１０は、接続回線５を介して他の電話装置の主装置と相互に接続され、必要に応じて各種情報をやり取りする。
無線親機２０は、内線伝送路２を介して主装置１０と接続されるとともに、無線回線３を介して無線子機３０と通信することにより、主装置１０と無線子機３０との間でやり取りされる各種情報を相互に転送する。
【００１４】
無線子機３０は、無線回線３を介して無線親機２０と通信することにより主装置１０に制御され、主装置１０との間で各種情報をやり取りすることにより、上記通信サービスを当該無線子機３０の利用者に提供する。
各無線子機３０は、電話装置１Ａ，１Ｂ，１Ｃ，…，１Ｎのいずれかに所属しており、その所属電話装置に固有のＩＤが所属ＩＤとして予め当該無線子機３０に登録されている。また、個別着信、電子メール、ボイスメールなど、その無線子機に対する個別の着呼は、その所属電話装置で受け付けられ、当該無線子機への個別サービスとして処理される。
【００１５】
また、無線子機３０には、各電話装置１Ａ，１Ｂ，１Ｃ，…，１Ｎごとに固有のＩＤが予め登録されており、移動先の電話装置に応じた固有のＩＤを用いて当該電話装置の主装置と認証登録処理を行い、その移動先の電話装置で所定の通信サービスを受けることができる。さらに、無線子機３０には、自子機を識別するための固有の子機ＩＤが登録されており、この子機ＩＤより無線子機が識別される。
なお、無線子機が電話装置と接続されるという記載は、一般的には、無線子機が直接電話装置に接続されることを示すが、本実施の形態では、無線子機が無線親機を介してその電話装置の主装置と接続されてその制御下となることを簡略したものである。
【００１６】
図１では、理解を容易とするため、各電話装置１Ａ，１Ｂ，１Ｃ，…，１Ｎとして、無線親機２０および無線子機３０がそれぞれ１つずつ設けられた構成例が示されているがこれに限定されるものではない。
通常、各電話装置（ボタン電話装置）には、無線子機３０だけでなく内線伝送路２を介して無線親機２０と並列的に主装置１０に接続される内線子機（有線子機）が設けられており、また複数の無線子機、さらには複数の無線親機が設けられているものもある。このような構成にも同様にして本発明の各実施の形態を適用でき、同様の作用効果が得られる。
【００１７】
次に、図２を参照して、本実施の形態にかかる電話装置で用いられる主装置について説明する。図２は本実施の形態にかかる電話装置で用いられる主装置の構成を示すブロック図である。
この主装置１０には、回線インターフェース部（以下、回線Ｉ／Ｆ部という）１１、スイッチ１２、親機インターフェース部（以下、親機Ｉ／Ｆ部という）１３、制御部１４、および記憶部１５が設けられている。
【００１８】
回線Ｉ／Ｆ部１１は、通信回線４を介して通信網４０と接続されて、その通信網４０を介して接続された相手先（図示せず）との間の通信を実現するとともに、接続回線５を介して他の電話装置の主装置と接続され、各種制御メッセージのやり取りや着信転送を実現する。
この際、各種制御メッセージについては、パケット通信などのデータ通信により実現される。また着信転送については、音声パケット通信を用いた音声通話（ＶｏＩＰ：Ｖｏｉｃｅ　ｏｖｅｒ　ＩＰ）や電話回線を用いた音声通話により実現される。
【００１９】
親機Ｉ／Ｆ部１３は、内線伝送路２を介して無線親機２０と接続され、その無線親機２０および無線回線３を介して接続された無線子機３０との間での各種情報の転送を実現する。
スイッチ１２は、回線Ｉ／Ｆ部１１と親機Ｉ／Ｆ部１３との間を中継交換接続することにより、通信回線４および通信網４０を介して接続された相手先と、無線親機２０および無線回線３を介して接続された無線子機３０との間での通信を実現する。
【００２０】
制御部１４は、ＣＰＵなどのマイクロプロセッサとその周辺回路からなり、記憶部１５に予め格納されているプログラムを読み込んで実行することにより、電話装置１全体を制御する。制御部１４には、上記ハードウェアとプログラムとが協働して実現される機能手段として、呼制御手段１４Ａ、移動管理手段１４Ｂおよび着信転送制御手段１４Ｃが設けられている。
呼制御手段１４Ａは、上記回線Ｉ／Ｆ部１１、親機Ｉ／Ｆ部１３およびスイッチ１２を制御することにより、無線子機３０に対する着信や無線子機３０からの発信など、一般的な呼制御を行う。移動管理手段１４Ｂは、電話装置間を移動する無線子機３０に関する制御を行う。着信転送制御手段１４Ｃは、当該電話装置への着信を他の電話装置へ転送する制御を行う。
【００２１】
記憶部１５は、制御部１４で実行するプログラムのほか、制御部１４での制御に必要な各種情報を記憶する。
各種情報としては、電話システムを構成する各電話装置１に予め割り当てられているＩＤや、そのＩＤごとに接続回線５を介して当該電話装置と通信を行うために必要なアドレスなどの接続先情報を含むシステム管理情報１５Ａが格納される。また、当該電話装置で認証登録された、他の電話装置に所属する無線子機３０に関する情報や、当該電話装置に所属する無線子機３０の移動先電話装置に関する情報などからなる無線子機管理情報１５Ｂが格納される。
【００２２】
次に、図３を参照して、本実施の形態にかかる電話装置の動作について説明する。図３は、本実施の形態にかかる電話装置の動作を示すシーケンス図であり、ここでは電話装置１Ａを所属電話装置とする無線子機３０が、電話装置１Ｃへ移動した場合を例として説明する。
電話装置１Ａの制御下にあった無線子機３０が電話装置１Ｃへ移動開始して圏外となった場合（ステップ１００）、電話装置１Ａは、無線子機３０との通信が不能な状態となる。
【００２３】
そして、無線子機３０が電話装置１Ｃの無線通信エリアの圏内へ到達した場合、無線子機３０と電話装置１Ｃとの間で認証登録処理が行われ、その認証成功に応じて無線子機３０は電話装置１Ｃの制御下となる（ステップ１０１）。
電話装置１Ｃでは、主装置１０の呼制御手段１４Ａで、上記認証登録処理により当該無線子機３０から受け取った、その無線子機３０に関する情報、ここでは当該無線子機３０を識別するための子機ＩＤや当該無線子機３０の所属電話装置１Ａを示す所属ＩＤを、無線子機管理情報１５Ｂとして記憶部１５へ登録する（ステップ１０２）。
【００２４】
その後、無線子機３０のみを着信先とする個別着信が通信網４０から通知された場合（ステップ１１０）、電話装置１Ａでは、主装置１０の回線Ｉ／Ｆ部１１でその個別着信を検出し、制御部１４へ通知する。
これに応じて、制御部１４の呼制御手段１４Ａは、親機Ｉ／Ｆ部１３を介して無線親機２０とデータ通信を行うことにより、無線子機３０の個別呼び出しを指示し、無線親機２０から無線子機３０の個別呼び出しが行われる（ステップ１１１）。
【００２５】
ここで、その個別呼び出しに対して無線子機３０から応答がなかった場合、呼制御手段１４Ａは、無線子機３０が自装置の無線通信エリアの圏外へ移動したと判定する（ステップ１１２）。
これに応じて、移動管理手段１４Ｂでは、記憶部１５のシステム管理情報１５Ａから他の電話装置１の接続先情報を取得し、その接続先情報に基づいて、回線Ｉ／Ｆ部１１および接続回線５を介して他の電話装置１Ｂ，１Ｃ，…，１Ｎへ、無線子機３０の所在確認を要求する所在確認要求メッセージを送信する（ステップ１１３）。
【００２６】
他の電話装置１Ｂ，１Ｃ，…，１Ｎの主装置では、制御部１４の移動管理手段１４Ｂにより、回線Ｉ／Ｆ１１を介して電話装置１Ａからの所在確認要求メッセージを受信する。そして、記憶部１５の無線子機管理情報１５Ｂを参照して、その所在確認要求メッセージに含まれる無線子機３０の子機ＩＤが自装置に登録されているかどうか確認する。
ここで、電話装置１Ｃでは、前述のステップ１０２により無線子機３０が自装置に登録されている場合は、自装置の制御下にあると判断し（ステップ１１４）、所在確認通知メッセージを電話装置１Ａへ返送する（ステップ）。また他の電話装置１Ｂ，…，１Ｎでは、それぞれ自装置に無線子機３０が登録されていないことから自装置の制御下にないと判定し、所在確認通知メッセージは返送しない。
【００２７】
電話装置１Ａの移動管理手段１４Ｂでは、電話装置１Ｃからの所在確認通知に応じて、着信先である無線子機３０が電話装置１Ｃの制御下にあることを確認し、着信転送制御手段１４Ｃへ着信転送を指示する。この指示に応じて着信転送制御手段１４Ｃでは、電話装置１Ｃの無線子機３０を呼び出す着信メッセージを電話装置１Ｃへ送信する（ステップ１１６）。
これに応じて、電話装置１Ｃの呼制御手段１４Ａでは、親機Ｉ／Ｆ部１３を制御して無線親機２０から無線子機３０を個別呼び出しする（ステップ１１７）。そして、無線子機３０での応答操作に応じて返送された応答メッセージを受信し（ステップ１２０）、発呼元の電話装置１Ａへ応答メッセージを返送する（ステップ１２１）。
【００２８】
電話装置１Ａの着信転送制御手段１４Ｃでは、電話装置１Ｃからの応答メッセージに応じて、電話装置１Ａとの中継通話を形成するとともに、元の着信に応答し、発側相手との通話を形成する（ステップ１２２）。そして、その通話と中継通話とをスイッチ１２を介して交換接続することにより、発側相手と無線子機３０との通話を形成する（ステップ１２３）。
【００２９】
このように、無線子機３０の所属電話装置１Ａで、その無線子機３０への個別着信を検出した場合には、移動管理手段１４Ｂで接続回線５を介して他の電話装置１Ｂ，１Ｃ，…，１Ｎへ所在確認要求を通知し、無線子機３０の所在を示す所在確認通知が返送されてきた場合には、その電話装置へ着信転送制御手段１４Ｃで元の着信を転送するようにしたので、従来のように、無線子機が所属電話装置へ復帰して着信履歴を確認しなくても、所属電話装置で生じた個別着信に対して移動先電話装置で直ちに応答することができ、その個別着呼に対して迅速に対応することができる。
【００３０】
着信転送制御手段１４Ｃでの着信転送については、例えば、元の着信が音声パケットを用いた音声通話（ＶｏＩＰ）の場合、接続回線５を介して同じくＶｏＩＰで電話装置１Ｃとの中継通話を形成し、電話装置１Ａのスイッチ１２により相手先との通話と中継通話との間で音声パケットを転送制御すればよい。
また、元の着信が通信網４０からの電話回線の場合、回線Ｉ／Ｆ部１１で接続回線５または通信回線４のうちの空き電話回線を捕捉して電話装置１Ｃへ発呼し、その応答に応じて電話装置１Ｃとの中継通話を形成する。そして、元の着信へ応答して、電話装置１Ａのスイッチ１２により発側相手の通話と中継通話とを中継接続すればよい。
【００３１】
なお、本実施の形態では、各電話装置１において、無線子機との認証登録に応じて、その無線子機が自装置の制御下にあること無線子機管理情報１５Ｂへ登録しておき、所在確認要求メッセージに応じて、その無線子機管理情報１５Ｂの登録内容に基づき無線子機３０の所在を確認する場合を例として説明したが、無線子機３０の所在確認については、所在確認要求メッセージに応じて実際に無線子機３０と無線通信を行うことにより、無線子機３０の所在を確認するようにしてもよい。これにより、リアルタイムで無線子機３０の所在を確認でき、無線子機管理情報１５Ｂへの登録後に無線子機３０が移動して圏外となった場合でも、適切に所在を確認できる。
【００３２】
次に、図４を参照して、本発明の第２の実施の形態にかかる電話システムについて説明する。図４は本発明の第２の実施の形態にかかる電話システムの動作を示すシーケンス図である。
前述した第１の実施の形態にかかる電話システムでは、所属電話装置での無線子機３０への個別着信に応じて、他の電話装置へ当該無線子機３０の所在確認を要求する場合について説明したが（図３参照）、本実施の形態では、無線子機３０が移動した移動先電話装置で、当該無線子機３０の認証登録に応じて移動先電話装置の制御下となった場合に、移動先電話装置からその無線子機３０の所属電話装置へ所在通知を行うようにしたものである。
【００３３】
以下では、電話装置１Ａを所属電話装置とする無線子機３０が、電話装置１Ｃへ移動した場合を例として説明する。
電話装置１Ａの制御下にあった無線子機３０が電話装置１Ｃへの移動開始して圏外となった場合（ステップ１５０）、電話装置１Ａは、無線子機３０との通信が不能な状態となる。
【００３４】
そして、無線子機３０が電話装置１Ｃの無線通信エリアの圏内へ到達した場合、無線子機３０と電話装置１Ｃとの間で認証登録処理が行われ、その認証成功に応じて無線子機３０は電話装置１Ｃの制御下となる（ステップ１５１）。
電話装置１Ｃでは、主装置１０の呼制御手段１４Ａで、上記認証登録処理により当該無線子機３０から受け取った、その無線子機３０に関する情報、ここでは当該無線子機３０を識別するための子機ＩＤや当該無線子機３０の所属電話装置１Ａを示す所属ＩＤを、無線子機管理情報１５Ｂとして記憶部１５へ登録する（ステップ１５２）。
【００３５】
また、この無線子機３０との認証登録により当該無線子機３０が自装置の制御下となった時点で、電話装置１Ｃの移動管理手段１４Ｂは、当該無線子機３０の所属ＩＤに基づき記憶部１５のシステム管理情報１５Ａを参照して、所属電話装置１Ａの接続先情報を取得する。そして、その接続先情報に基づき接続回線５を介して電話装置１Ａへ、無線子機３０が自装置の制御下にあることを示す所在通知メッセージを送信する（ステップ１５３）。
これに応じて、電話装置１Ａの移動管理手段１４Ｂでは、当該電話装置１Ａに所属する無線子機３０が、現在、電話装置１Ｃの制御下にあることを記憶部１５の無線子機管理情報１５Ｂへ登録する（ステップ１５４）。
【００３６】
その後、無線子機３０のみを着信先とする個別着信が通信網４０から通知された場合（ステップ１６０）、電話装置１Ａでは、主装置１０の回線Ｉ／Ｆ部１１でその個別着信を検出し、制御部１４へ通知する。
これに応じて、制御部１４の呼制御手段１４Ａは、記憶部１５の無線子機管理情報１５Ｂを参照して、無線子機３０の所在を確認する。ここでは、無線子機３０の所在として電話装置１ＣのＩＤを取得し、これにより無線子機３０が圏外に移動したと判定し（ステップ１６１）、着信転送制御手段１４Ｃへその移動先すなわち電話装置１Ｃへの着信転送を指示する。
【００３７】
この指示に応じて着信転送制御手段１４Ｃでは、電話装置１Ｃの無線子機３０を呼び出す着信メッセージを電話装置１Ｃへ送信する（ステップ１６２）。
これに応じて、電話装置１Ｃの呼制御手段１４Ａでは、親機Ｉ／Ｆ部１３を制御して無線親機２０から無線子機３０を個別呼び出しする（ステップ１６３）。
この後、前述した図３のステップ１２０〜１２３と同様にして、電話装置１Ａで検出された個別着信が電話装置１Ｃの無線子機３０へ転送され、発側相手と無線子機３０との通話が形成される。
【００３８】
このように、無線子機３０が移動した移動先電話装置で、認証登録により当該無線子機が自装置の制御下となった時点で、移動先電話装置からその無線子機３０の所属電話装置へ所在通知を行うようにしたので、所属電話装置では無線子機管理情報を確認するだけで無線子機３０の所在を取得でき、前述の第１の実施の形態のように、他の電話装置への所在確認要求を行う必要がなく、この所在確認のための各電話装置での処理負担を軽減できるとともに、より迅速に着信転送できる。
【００３９】
なお、本実施の形態では、移動先電話装置から所属電話装置に対して所在通知を行うタイミングとして、無線子機との認証登録が行われて当該無線子機が移動先電話装置の制御下となった時点を例として説明したが、この所在通知を行うタイミングとしてはこれに限定されるものではない。例えば、無線子機からの所在通知要求を移動先電話装置が受け取った時点で、移動先電話装置から所属電話装置に対して所在通知を行うようにしてもよく、これにより移動端末の利用者が必要に応じて所在通知を行うことができる。
例えば、無線端末を有する利用者が任意の移動先電話装置の圏内へ入ったものの、すぐにその電話装置の圏外へ移動するような場合などは、当該移動先電話装置で所在通知する必要はない。したがって、このような場合には、利用者の意図により無線子機から所在通知要求を行わない限り、不必要な所在通知を回避でき、当該移動先電話装置および所属電話装置での不要な所在登録処理を省くことができる。
【００４０】
以上の各実施の形態では、無線子機３０が主装置１０に対し、無線親機２０を介して接続される構成を例として説明したが、これに限定されるものではない。例えば、主装置１０に無線インターフェース部を設け、この無線インターフェース部を介して無線子機３０を主装置１０と接続する構成であっても、本発明の各実施の形態を前述と同様にして適用でき、同様の作用効果が得られる。
【００４１】
また以上では、各電話装置１が専用の主装置１０を有するボタン電話装置からなる場合を例として説明したが、これに限定されるものではない。例えばパケット通信用の回線Ｉ／Ｆ部１１と親機Ｉ／Ｆ部１３を有するコンピュータからなる電話制御装置を、主装置１０の代わりに用いることにより、パケット通信網からなる通信網４０を介して音声通話（ＶｏＩＰ）を行う電話装置１で、上記各実施の形態を実現してもよい。
。
なお、以上の各実施の形態では、接続回線５については、通信回線４および通信網４０とは独立したものを用いた場合を例として説明したが、この接続回線５として通信回線４および通信網４０を兼用してもよい。
【００４２】
【発明の効果】
以上説明したように、本発明は、所属電話装置の移動管理手段で、自装置に所属する通信不能な無線子機に対する個別着信が発生した場合、接続回線を介して他の電話装置へ当該無線子機の所在を問い合わせ、着信転送制御手段で、所在確認された移動先電話装置へその個別着信を転送するようにたしので、従来のように、無線子機が所属電話装置へ復帰して着信履歴を確認しなくても、所属電話装置で生じた個別着信に対して移動先電話装置で直ちに応答することができ、その個別着呼に対して迅速に対応することができる。
【００４３】
また、移動先電話装置の移動管理手段で、他の電話装置に所属する無線子機の所在を接続回線を介してその無線子機の所属電話装置へ通知し、所属電話装置の着信転送制御手段で、自装置に所属する通信不能な無線子機に対する個別着信が発生した場合、先の所在通知に基づきその個別着信を移動先電話装置へ着信転送するようにしたので、従来のように、無線子機が所属電話装置へ復帰して着信履歴を確認しなくても、所属電話装置で生じた個別着信に対して移動先電話装置で直ちに応答することができ、その個別着呼に対して迅速に対応することができる。さらに、所属電話装置では無線子機管理情報を確認するだけで無線子機の所在を取得でき、他の電話装置への所在確認要求を行う必要がなく、この所在確認のための各電話装置での処理負担を軽減できるとともに、より迅速に着信転送できる。
【図面の簡単な説明】
【図１】本発明の一実施の形態にかかる電話システムの構成を示すブロック図である。
【図２】主装置の構成を示すブロック図である。
【図３】本発明の第１の実施の形態にかかる電話システムの動作を示すシーケンス図である。
【図４】本発明の第２の実施の形態にかかる電話システムの動作を示すシーケンス図である。
【符号の説明】
１，１Ａ，１Ｂ，１Ｃ，〜，１Ｎ…電話装置、２…内線伝送路、３…無線回線、４…通信回線、５…接続回線、１０…主装置、１１…回線インターフェース部（回線Ｉ／Ｆ部）、１２…スイッチ、１３…親機インターフェース部（親機Ｉ／Ｆ部）、１４…制御部、１４Ａ…呼制御手段、１４Ｂ…移動管理手段、１４Ｃ…着信転送制御手段、１５…記憶部、１５Ａ…システム管理情報、１５Ｂ…無線子機管理情報、２０…無線親機、３０…無線子機、４０…通信網。
【図１】
2004088490.tif 000003
【図２】
2004088490.tif 000004
【図３】
2004088490.tif 000005
【図４】
2004088490.tif 000006